(57)【要約】【課題】水センサのような設置困難なものを使わない。居住者が倒れる前に生活状態を定期的に通報する。ペットによる誤動作をなくす。外部に、ホストコンピュータなどを要するサーバーを使わない。外出時には、侵入者の存在を通報するセキュリティ機能を果たす。【解決手段】赤外線リモコン１の信号を赤外線受信ユニットが受信してパルス信号Ｐ１を出す。居住者の移動を検出すると人体感知ユニット２０がパルス信号Ｐ２を出す。リビングのドア、ベッドルームのドア、トイレットのドアの開閉を検出してパルス信号Ｐ３、Ｐ４、Ｐ５を出す。各パルス信号の種類、発生時刻を編集して、定期的に携帯電話機７０から通報先の携帯電話機８０へ状態を通報する。【選択図】図１
2006178574.tif 000002
【特許請求の範囲】
【請求項１】
テレビジョン受信機などを操作するリモコンの信号を受信してパルス信号を出力する受信ユニットと、
該受信ユニットからのパルス信号を入力し、パルス信号の種類と発生時刻を記憶し、予め設定された状態通知時刻になると、先回通知した以後に記憶したパルス信号の種類と発生時刻を編集して、状態通知ユニットに有線で接続されている携帯電話機から所定の通報先へ、編集したデータをＥメールで通報する状態通知ユニットを具備したことを特徴とする状態通知システム。
【請求項２】
テレビジョン受信機を操作する赤外線リモコンの赤外線信号を受信してパルス信号を出力する赤外線受信ユニットと、
該赤外線受信ユニットからのパルス信号を入力し、パルス信号の種類と発生時刻を記憶し、予め設定された状態通知時刻になると、先回通知した以後に記憶したパルス信号の種類と発生時刻を編集して、状態通知ユニットに有線で接続されている携帯電話機から所定の通報先へ、編集したデータをＥメールで通報する状態通知ユニットを具備したことを特徴とする状態通知システム。
【請求項３】
テレビジョン受信機などを操作するリモコンの信号を受信してパルス信号を出力する受信ユニットと、部屋の扉の開閉に応じてパルス信号を出力する扉開閉スイッチと、
前記受信ユニットからのパルス信号と、前記扉開閉スイッチからのパルス信号を入力し、各パルス信号の種類と発生時刻を記憶し、予め設定された状態通知時刻になると、先回通知した以後に記憶したパルス信号の種類と発生時刻を編集して、状態通知ユニットに有線で接続されている携帯電話機から所定の通報先へ、編集したデータをＥメールで通報する状態通知ユニットを具備したことを特徴とする状態通知システム。
【請求項４】
テレビジョン受信機を操作する赤外線リモコンの赤外線信号を受信してパルス信号を出力する赤外線受信ユニットと、部屋の扉の開閉に応じてパルス信号を出力する扉開閉スイッチと、
前記赤外線受信ユニットからのパルス信号と、前記扉開閉スイッチからのパルス信号を入力し、各パルス信号の種類と発生時刻を記憶し、予め設定された状態通知時刻になると、先回通知した以後に記憶したパルス信号の種類と発生時刻を編集して、状態通知ユニットに有線で接続されている携帯電話機から所定の通報先へ、編集したデータをＥメールで通報する状態通知ユニットを具備したことを特徴とする状態通知システム。
【請求項５】
赤外線受信ユニットはテレビジョン受信機のリモコン受信部の近くに設置したことを特徴とする請求項２又は４記載の状態通知システム。
【請求項６】
人体を感知するとパルス信号を出力する人体感知ユニットを具備し、該人体感知ユニットからの出力パルス信号を前記状態通知ユニットに入力して該出力パルス信号の種類と発生時刻を記憶し、予め設定された状態通知時刻になると、先回通知した以後に記憶した各種パルス信号の種類と発生時刻を編集して、編集したデータを通報する事を特徴とする請求項１乃至５の何れかに記載の状態通知システム。
【請求項７】
人体を感知するとパルス信号を出力すると共に、周りの明るさを検知する光センサを備え、周りが暗い状態のときに人体を感知すると照明用のライトを点灯する人体感知ユニットを具備し、該人体感知ユニットからの出力パルス信号を前記状態通知ユニットに入力して該出力パルス信号の種類と発生時刻を記憶し、予め設定された状態通知時刻になると、先回通知した以後に記憶した各種パルス信号の種類と発生時刻を編集して、編集したデータを通報する事を特徴とする請求項１乃至５の何れかに記載の状態通知システム。
【請求項８】
人体感知ユニットは床面から一定以上上方に離れた位置に設置したことを特徴とする請求項６又は７記載の状態通知システム。
【請求項９】
状態通知ユニットに、前記携帯電話機の方向キー及び決定ボタンにそれぞれ対応する第２の方向キーと第２の決定ボタンとを設けたことを特徴とする請求項１乃至８の何れかに記載の状態通知システム。
【請求項１０】
携帯電話機がカメラ付携帯電話機であることを特徴とする請求項１乃至９の何れかに記載の状態通知システム。
【請求項１１】
予め設定された状態通知時刻になると、先回通知した以後のパルス信号の種類と発生時刻を編集して、編集したデータを所定の通報先へＥメールで通報する動作を通常モードとし、
状態通知ユニットの動作を通常モードからセキュリティモードに切替える外出スイッチを設け、
該外出スイッチを操作してセキュリティモードに切替えたときは、前記各種パルス信号の何れかが状態通知ユニットに入力されると、入力後所定時間後に前記所定の通報先へ通報することを特徴とする請求項１乃至１０の何れかに記載の状態通知システム。
【発明の詳細な説明】
【技術分野】
【０００１】
本発明は、居住者の生活状態を自動的に検出して、定期的に通知する状態通報システムに関する。
【背景技術】
【０００２】
水の使用パターンから居住者の健康・異変を自動的に検出して、所定の通報先へ通報する通報システムが公知である（例えば、特許文献１参照）。
【０００３】
この通報システムは、一戸の住宅で使用する水の全量が通過する水道管等の管路に取付けた流量検知センサ（単に流量センサとも言う）の信号を監視して、一定時間以上にわたって水が使用されなかったときに、所定の通報先へ異常信号を送信し、異常信号を受信して通報する通報システムである。
【０００４】
また、離れて暮らす高齢の居住者（例えば親御さん）を家の中に設置した複数のセンサが感知し、在室状況（時間・部屋名）を、家族の携帯電話やパソコンなどに１日１回、指定の時間にＥメールで送信することで、毎日の生活パターンから、体調不良などに気づくことができるシステムが、「みまもりネットサービス」の名称で提供されている（非特許文献１参照。）
このシステムでは、各部屋に設置したセンサが居住者を感知すると、その情報が１台の送受信機に無線で送られる。更に、送受信機からデータセンターに在室状況が無線で送信される。データセンターに蓄積された在室状況のデータは、１日１回、指定の時刻に、家族の携帯電話やパソコン、Ｌモード対応電話機などへＥメールで在室状況（時間・部屋名）を届ける（非特許文献２参照）。
【０００５】
受信したＥメールの在室状況から、就寝中の状態や、日中の状態などをチェックして異変が起きている可能性がないか推定することができる（非特許文献３参照）。
【０００６】
センサは、受動式赤外線方式で居住者を感知し、小電力無線で送受信機に送信する。送受信機は、携帯パケット通信方式で、ＮＴＴドコモのパケット通信サービス（ＤｏＰａ）のサービスエリア内で使用している（非特許文献４参照）。
【特許文献１】特開平８−３０８８６号公報
【非特許文献１】松下電工、「みまもりネットとは、みまもりネットサービス」［ｏｎｌｉｎｅ］、［２００４年８月３１日検索］、インターネット＜ＵＲＬ：ｈｔｔｐ：／／ｗｗｗ．ｍｅｗ．ｃｏ．ｊｐ／ｍｉｍａｍｏｒｉ／ａｂｏｕｔ．ｈｔｍｌ＞
【非特許文献２】松下電工、「サービスについて、みまもりネットサービス」［ｏｎｌｉｎｅ］、［２００４年８月３１日検索］、インターネット＜ＵＲＬ：ｈｔｔｐ：／／ｗｗｗ．ｍｅｗ．ｃｏ．ｊｐ／ｍｉｍａｍｏｒｉ／ｆｅａｔｕｒｅ．ｈｔｍｌ＞
【非特許文献３】松下電工、「サービスについて、みまもりネットサービス」［ｏｎｌｉｎｅ］、［２００４年８月３１日検索］、インターネット＜ＵＲＬ：ｈｔｔｐ：／／ｗｗｗ．ｍｅｗ．ｃｏ．ｊｐ／ｍｉｍａｍｏｒｉ／ｍａｉｌ．ｈｔｍｌ＞
【非特許文献４】松下電工、「見守り機器の仕様、みまもりネットサービス」［ｏｎｌｉｎｅ］、［２００４年８月３１日検索］、インターネット＜ＵＲＬ：ｈｔｔｐ：／／ｗｗｗ．ｍｅｗ．ｃｏ．ｊｐ／ｍｉｍａｍｏｒｉ／ｓｐｅｃ．ｈｔｍｌ＞
【発明の開示】
【発明が解決しようとする課題】
【０００７】
前記特許文献１の通報システムでは、水センサを管路に取り付けるために、給水管の切断・取付調整が必要で、設置費用が高額になるという問題点があった。また、近時、全自動洗濯機や全自動風呂釜給湯器、深夜電力温水器などのように、タイマーや水量センサによって自動的に給水する機器が用いられることがあり、水使用の有無が居住者の健康状態と直接結びつかなくて、誤報の原因となるという問題点もある。更にまた、自動的に給水する機器を用いない場合であっても、一定時間以上にわたって水が使用されなかったときに、通報先へ異常信号が送信されたときは、居住者が健康上の異常から倒れた後であるため、手遅れになってしまう可能性があるという問題点もあった。
【０００８】
前記非特許文献１乃至４のみまもりシステムは、複数のセンサで感知した居住者の在室状況のデータを、送受信機を介してデータセンターに送信して蓄積し、１日１回、指定の時刻に、家族の携帯電話機やパソコン等にＥメールで届けるため、外部にサーバーとして機能するホストコンピュータ等を設ける必要がある。送受信機から送信した在室状況のデータは、サーバーで一括管理されたうえで、所定の携帯電話機などの送信先へ届けられるため、サーバーの管理者と送信先との間であらかじめ所定の契約を取り交わすための事務手続きが必要となり、かつ、契約料や毎月の使用料・通信費も支払う必要があるという面倒があった。また、送信先を変更したりする場合にも変更費用がかかってしまう。さらにまた、システムの設置に特別な工事や技術を必要とするものもあり、使用者（高齢の居住者）やその家族が簡単に設定することができないという問題点があった。
【０００９】
そこで、本発明の状態通知システムは、高齢者等の居住者の状態を通知するシステムであって、上記従来技術の問題点や面倒を解消できる通知システムを提供することを第１の目的とする。
【００１０】
さらに、居室内の状況がより詳しく判る通知システムを提供することを第２の目的とする。
【００１１】
さらにまた、居住者が外出している間には、セキュリティシステムとしての機能を果す通知システムを提供することを第３の目的とする。
【課題を解決するための手段】
【００１２】
本発明は、状態通知ユニットと、該状態通知ユニットに有線で接続されている携帯電話機を設け、テレビジョン受信機などのリモコンの信号を受信するとパルス信号を前記状態通知ユニットに入力する受信ユニットを設け、パルス信号の種類とその発生時刻とを状態通知ユニットに記憶編集して予め設定された状態通知時刻になると編集したデータを所定の通報先へ携帯電話を介してＥメールで通報することを最も主要な特徴とする。
【００１３】
そこで、前記第１の目的を達成するために、請求項１の発明は、テレビジョン受信機などを操作するリモコンの信号を受信してパルス信号を出力する受信ユニットと、
該受信ユニットからのパルス信号を入力し、パルス信号の種類と発生時刻を記憶し、予め設定された状態通知時刻になると、先回通知した以後に記憶したパルス信号の種類と発生時刻を編集して、状態通知ユニットに有線で接続されている携帯電話機から所定の通報先へ、編集したデータをＥメールで通報する状態通知ユニットを具備したことを特徴とする状態通知システムである。
【００１４】
請求項２の発明は、テレビジョン受信機を操作する赤外線リモコンの赤外線信号を受信してパルス信号を出力する赤外線受信ユニットと、
該赤外線受信ユニットからのパルス信号を入力し、パルス信号の種類と発生時刻を記憶し、予め設定された状態通知時刻になると、先回通知した以後に記憶したパルス信号の種類と発生時刻を編集して、状態通知ユニットに有線で接続されている携帯電話機から所定の通報先へ、編集したデータをＥメールで通報する状態通知ユニットを具備したことを特徴とする状態通知システムである。
【００１５】
請求項３の発明は、テレビジョン受信機などを操作するリモコンの信号を受信してパルス信号を出力する受信ユニットと、部屋の扉の開閉に応じてパルス信号を出力する扉開閉スイッチと、
前記受信ユニットからのパルス信号と、前記扉開閉スイッチからのパルス信号を入力し、各パルス信号の種類と発生時刻を記憶し、予め設定された状態通知時刻になると、先回通知した以後に記憶したパルス信号の種類と発生時刻を編集して、状態通知ユニットに有線で接続されている携帯電話機から所定の通報先へ、編集したデータをＥメールで通報する状態通知ユニットを具備したことを特徴とする状態通知システムである。
【００１６】
請求項４の発明は、テレビジョン受信機を操作する赤外線リモコンの赤外線信号を受信してパルス信号を出力する赤外線受信ユニットと、部屋の扉の開閉に応じてパルス信号を出力する扉開閉スイッチと、
前記赤外線受信ユニットからのパルス信号と、前記扉開閉スイッチからのパルス信号を入力し、各パルス信号の種類と発生時刻を記憶し、予め設定された状態通知時刻になると、先回通知した以後に記憶したパルス信号の種類と発生時刻を編集して、状態通知ユニットに有線で接続されている携帯電話機から所定の通報先へ、編集したデータをＥメールで通報する状態通知ユニットを具備したことを特徴とする状態通知システムである。
【００１７】
なお、請求項１乃至４におけるパルス信号の種類とは、テレビジョン受信機、エアコンやオーディオなどの「機器の種類」、又はテレビジョン受信機などのリモコンからのリモートコントロール信号の「信号形態の種類」のどちらであってもよい。また、請求項１と３では、赤外線リモコンに限定することなく、超音波や電波を通信手段として用いる超音波リモコンや電波リモコンも使用できる。
【００１８】
請求項５の発明は、請求項２又は４の状態通知システムにおいて、赤外線受信ユニットはテレビジョン受信機のリモコン受信部の近くに設置したことを特徴とするものである。
【００１９】
請求項６の発明は、請求項１乃至５の何れかの情報通知システムにおいて、人体を感知するとパルス信号を出力する人体感知ユニットを具備し、該人体感知ユニットからの出力パルス信号を前記状態通知ユニットに入力して該出力パルス信号の種類と発生時刻を記憶し、予め設定された状態通知時刻になると、先回通知した以後に記憶した各種パルス信号の種類と発生時刻を編集して、編集したデータを通報する事を特徴とするものである。
【００２０】
請求項７の発明は、請求項１乃至５の何れかの状態通知システムにおいて、人体を感知するとパルス信号を出力すると共に、周りの明るさを検知する光センサを備え、周りが暗い状態のときに人体を感知すると照明用のライトを点灯する人体感知ユニットを具備し、該人体感知ユニットからの出力パルス信号を前記状態通知ユニットに入力して該出力パルス信号の種類と発生時刻を記憶し、予め設定された状態通知時刻になると、先回通知した以後に記憶した各種パルス信号の種類と発生時刻を編集して、編集したデータを通報する事を特徴とするものである。
【００２１】
請求項８の発明は、請求項６又は７の状態通知システムにおいて、人体感知ユニットは床面から一定以上上方に離れた位置に設置したことを特徴とするものである。
【００２２】
請求項９の発明は、請求項１乃至８の何れかに記載の状態通知システムにおいて、状態通知ユニットに、前記携帯電話機の方向キー及び決定ボタンにそれぞれ対応する第２の方向キーと第２の決定ボタンとを設けたことを特徴とするものである。
【００２３】
請求項１０の発明は、請求項１乃至９の何れかに記載の状態通知システムにおいて、携帯電話機がカメラ付携帯電話機であることを特徴とするものである。
【００２４】
そして、請求項１１の発明は、請求項１乃至１０の何れかに記載の状態通知システムにおいて、予め設定された状態通知時刻になると、先回通知した以後のパルス信号の種類と発生時刻を編集して、編集したデータを所定の通報先へＥメールで通報する動作を通常モードとし、
状態通知ユニットの動作を通常モードからセキュリティモードに切替える外出スイッチを設け、
該外出スイッチを操作してセキュリティモードに切替えたときは、前記各種パルス信号の何れかが状態通知ユニットに入力されると、入力後所定時間後に前記所定の通報先へ通報することを特徴とするものである。
【発明の効果】
【００２５】
本発明の状態通知システムは上述のように構成されているので、通報先では、先回の通知以後の編集データを一括して受信できる。従って、通知時刻毎に、高齢の居住者の生活状態を一括して見ることができるため、健康状態の変化を受信テータから容易に推測して、必要な対処を行うことが可能となる。従って、従来技術のように通報を受けたが手遅れになるという虞がない。
【００２６】
通常の健康状態であれば、例えば、朝起きてすぐにトイレに行き、食事をしながらＴＶを見る。就寝前にＴＶを消す。毎日連続ドラマを見るなど無意識のうちに決まった生活パターンを繰り返す。体調が悪くなってくると、トイレに行く回数が減ったり、ＴＶを見ずに横になっているなど今までと違う生活パターンが見られるようになる。毎日定期的に生活パターンのデータを通知することで、家族が高齢の居住者の健康状態に気を配ることができる。このようにして、居住者の生活パターンのデータの変化から体調の変化を推測できる。
【００２７】
また、水センサを用いないので、設置が容易で、誤報の虞も少ない。
また、サーバーとしての機能するホストコンピュータ等を外部に設ける必要がない点からも設置が容易で、諸経費が少なくて済む。
【００２８】
請求項６、７の発明では、さらに、人体感知ユニットを設置する主たる目的は人体感知によるパルス信号出力であるが、名目的には照明用ライトとしているため、居住者に対し監視されているという意識を与えないので、心理的な圧力とならない利点がある。また、人体感知ユニットを、赤外線受信ユニットやドア開閉検知スイッチと組み合わせて用いることで、より検知精度が高まる利点がある。
【００２９】
請求項８の発明では、さらに、人体感知ユニットがペットの動きで誤動作する虞を防止できる。
【００３０】
請求項９の発明では、さらに、状態通知ユニットに設けた第２の方向キーと第２の決定キーを操作することで、容易に携帯電話機を操作したのと同じ作業を行うことができる。
【００３１】
請求項１０の発明では、さらに、各種パルス信号の種類とその発生時刻の編集データの通知時に住居内の居室の状況（画像）を携帯電話機のカメラで撮影して、通知先へのＥメールに添付して届けられるため編集データだけの場合に比べて、日が落ちた時刻に関わらず照明がついていない、などの判断要素が増え、居室の状態がより明瞭に判る利点がある。
【００３２】
請求項１１の発明では、さらに、外出中に、好ましくない侵入者があると、自動的に家族に通知されるため、空き巣狙いを自動的に通報できる。また、このとき、家族は、携帯電話機のハンズフリー機能を使って、部屋の内部の音を聞いたり、侵入者に威嚇を行うこともできる。
【発明を実施するための最良の形態】
【００３３】
次に本発明を実施するための最良の形態を図の実施例に基づいて説明する。
図１は実施例のブロック図、図２は状態通知ユニットの平面図、図３は状態通知ユニットの右側面図、図４は状態通知ユニットを図２における図示上方からみた図、図５は状態通知ユニットの正面略図（ａ）と、携帯電話機の一部を示す拡大正面図（ｂ）である。
【００３４】
図６は赤外線受信ユニットと、赤外線受信ユニットに付属する外付け赤外線受光部の外形図で、（ａ）は赤外線受信ユニットの背面図、（ｂ）は同平面図、（ｃ）は同正面図、（ｄ）は外付け赤外線受光部の平面図、（ｅ）は同正面図である。図７は人体感知ユニットの外形図で、（ａ）は正面図、（ｂ）は上面図（平面図）、（ｃ）は背面図、（ｄ）は右側面図、図８は通報先の携帯電話機に通知された表示画面の拡大図である。
【００３５】
図１において、１は図示されてないテレビジョン受信機を操作するリモートコントローラ（以後赤外線リモコンという）で、周知の赤外線信号を送出してテレビジョン受信機を操作する。赤外線リモコン１からの赤外線信号は前記図示されていないテレビジョン受信機に到達して、該受信機を操作するとともに、テレビジョン受信機の近くに設置された赤外線受信ユニット１０の赤外線受光部１１又は外付け赤外線受光部１２で受信されて受信信号となり、赤外線受信ユニット制御部１３に入力されてパルス信号Ｐ１に変換され、信号出力部１６から出力されて状態通知ユニット４０の入力部４１に入力される。赤外線受信ユニット制御部１３は、赤外線受光部１１や１２からの電気信号を予めメモリ１４に記憶してある信号パターンと比較することで、所定の赤外線リモコン１からの赤外線信号であることを確認したうえで、パルス信号に変換する。
【００３６】
記憶スイッチ１５は、メモリ１４に所定の赤外線リモコン１の赤外線信号を記憶させるためのもので、記憶スイッチ１５を押しながら赤外線受光部１１に赤外線リモコン１の赤外線送信部分を向けてテレビジョン受信機の操作のためのボタンを押すことで、赤外線リモコン１から送信された赤外線信号をメモリ１４に記憶することができる。また、メモリ１４に記憶させる赤外線信号はテレビジョン受信機の電源ＯＮ−ＯＦＦの信号であることが望ましいが、日常最も多く操作するチャンネル選択信号を用いるようにしてもよい。
【００３７】
人体感知ユニット２０は住居の廊下等のうち比較的足下の暗いところに設置され、光センサ２１で検知した周囲の明るさと、人体感知部２２で感知した居住者３０の動きの双方を、人体感知ユニット制御部２３が判断し、周囲の明るさが一定値より暗い状態のときに居住者３０が人体感知ユニット２０の近くを通ると、自動的に一定時間の間、ライト部２４に通電して点灯し周囲を照らす。なお、居住者が猫や小型犬などのペットと暮らしている場合は、人体感知ユニット２０のペットによる誤作動を防止するために、床面から一定以上高い位置、例えば床面から１ｍ以上離れた高い位置に設けるとよい。
【００３８】
また、人体感知ユニット２０は光センサ２１で検知した周囲の明るさにかかわらず、人体感知部２２が居住者３０の移動を感知した場合、信号出力部２５からパルス信号Ｐ２を出力して、状態通知ユニット４０の入力部４２に入力する。感度調整つまみ２６は、人体感知ユニット制御部がパルス信号Ｐ２を出力する人体感知レベルのしきい値を加減して適値に設定するためのつまみである。
【００３９】
なお、前記人体感知ユニット２０は、ペットによる誤動作を防止するために、床面より一定以上高い位置、例えば床面から１ｍ以上離れた高い位置に設けると良い（請求項８）。
【００４０】
状態通知ユニットは、マイクロプロセッサを備えた状態通知ユニット制御部４３を主な構成要素として、図示のように構成されている。そして、図示されてないＡＣ１００Ｖ商用電源のコンセントに連結されるプラグ４４から給電される電源部４５とバックアップ電池４６で作動する。
【００４１】
居住者３０が生活する住居のリビングルームとベッドルームとトイレットにそれぞれ設けられた開閉ドアの開閉を検出してパルス信号Ｐ３、Ｐ４、Ｐ５をそれぞれ発生する扉開閉スイッチ４７、４８、４９が、図示されていないリビングルームとベッドルームとトイレットの各開閉ドアに連動するように配設されている。各扉開閉スイッチ４７、４８、４９は、それぞれ対応するドア（扉）の上部に取り付けたマグネットと、該マグネットがドアの開閉に応じて動くときに作動する磁界応答手段としてのリードスイッチとで構成されている。
【００４２】
これらの各ドアに連動する扉開閉スイッチ４７、４８、４９はそれぞれリビングルーム、ベッドルーム、トイレットへの居住者の出入りに基づく各ドアの各開閉動作を検出して、それぞれパルス信号Ｐ３、Ｐ４又はＰ５を入力部５０、５１、５２に入力する。各パルス信号Ｐ１、Ｐ２、Ｐ３、Ｐ４、Ｐ５は、入力部４１、４２、５０、５１、５２を介して状態通知ユニット制御部４３に入力される。状態通知ユニット制御部４３は、外出ボタン５３を操作しないといわゆる通常モードとして作動するようにプログラムされている。通常モード時には、入力部４１、４２、５０、５１、５２を介して状態通知ユニット制御部４３に入力されたパルス信号は、そのパルス信号の種類と入力時刻とがメモリ５４に記憶される。時計部５５は時刻を定める。
【００４３】
状態通知ユニット４０は、状態通知時刻設定スイッチ５６で予め設定しておいた時刻になると、先回の通知以後に記憶したパルス信号の種類とその発生時刻とを状態通知ユニット制御部４３でテキストデータとして編集し、情報出力部６０に後述接続ケーブルにより有線で接続されているカメラ付き携帯電話機７０から通報先である家族の携帯電話機８０又はパソコン９０等へＥメールで通報する。携帯電話機７０からのＥメールは、携帯電話通信会社１００やインターネット２００を通じて通報先の携帯電話機８０やパソコン９０へ届けられる。通報先は予め携帯電話機７０のメモリ（例えばメモリＮＯ．０００）に登録されているＥメールアドレスへＥメールにて送信する。なお、携帯電話機７０にカメラ付き携帯電話機を使用するとことで、カメラ撮影した画像を送信することもできる。
【００４４】
居住者３０が、住居から外出して不在になるときは、状態通知ユニット４０の外出ボタン５３を押すことで、所定時間、例えば３分後に、状態通知ユニット４０は通常モードからセキュリティモードに切替えられる。セキュリティモードの状態で、人体感知ユニットからのパルス信号Ｐ２又は扉開閉スイッチ４７、４８、４９からのパルス信号Ｐ３、Ｐ４、Ｐ５等が入力されると、状態通知ユニット制御部は留守中に侵入者ありと判断し、第２の所定時間、例えば３分後に、情報出力部に有線で接続されている携帯電話機７０から所定の通報先、例えば携帯電話機７０のメモリＮＯ．０００に登録されている通報先へ電話をかける。
【００４５】
この通報を携帯電話機８０で受けた家族又は外出中の居住者は、マイク５７を使って侵入者の音を聞いて情報をとることができる。そして電話回線接続中は、状態通知ユニット４０側は、マイク５７とスピーカー５８とで、ハンズフリー電話として機能するので、侵入者の音を聞くだけでなく、侵入者に対して音声による威嚇をすることもできる。
【００４６】
居住者が外出中から戻った際には、前記第２の所定時間の３分以内に外出ボタン５３を押してセキュリティモードを解除して通常モードに戻す。こうすることで、帰宅時に扉開閉スイッチ４７、４８、４９又は人体感知ユニット２０が反応して誤報してしまうことを防止する。なお、前記所定時間３分とか、第２の所定時間の３分は、その設定値を適宜変化可能としておくと好都合である。
【００４７】
在室状態であるにもかかわらず、何れのパルス信号も一定以上の時間例えば１６時間に亘って全く反応しないときは、状態通知ユニット制御部４３の判断で、情報出力部６０に接続されている携帯電話機７０から所定の通報先、例えば携帯電話機７０のメモリＮＯ．０００に登録されている通報先（通知先）へ電話をかけ、通知先との電話回線接続後は、マイク５７とスピーカー５８でハンズフリー通話をすることもできる。
【００４８】
通話ボタン５９を操作して携帯電話機７０による外部との通話も勿論行うことができる。図１の操作パネル６１は、図２に示すように、決定ボタン６２と、該決定ボタン６２の周りに配設された方向キー６３を備えている。方向キー６３は二つ折携帯電話機７０の画面７０ａに表示されたメニューなどを操作するための周知のボタンで、上下左右の４方向に押すことができる。携帯電話機７０は、接続用コネクタ６４と接続用ケーブル６５によって状態通知ユニット４０の前記情報出力部５７と電気的に接続されている。
【００４９】
なお、状態通知ユニット４０の操作パネル６１に配設した決定ボタン６２と、該決定ボタン６２の周りに設けた方向キー６３は、図５に示すように、携帯電話機７０の決定ボタン７２と方向キー７３と対応するように配設されている。
【００５０】
状態通知ユニット４０と携帯電話機７０を接続用コネクタ６４および接続用ケーブル６５で接続した状態で、状態通知ユニット４０の決定ボタン６２と方向キー６３を操作すると、状態通知ユニット４０から携帯電話機７０に対して電気的な命令が送信され、携帯電話機７０の決定ボタン７２と方向キー７３の操作をしたと同じ動作をさせることができる。この電気的な命令により、携帯電話機７０では実際に操作しなくても、模擬的に操作しているような状態にすることができる。
【００５１】
携帯電話機７０でのメール送信や通話などの操作は、状態通知ユニット４０の操作パネル６１を使用して、キーボードのボタン操作を状態通知ユニットに記憶させ、メール送信時などの場合には、その操作を再現した命令を携帯電話機７０に送ることで実行する。そのため、将来携帯電話機７０を変更した場合でも操作の再記憶で対応できる。
【００５２】
あらかじめ設定しておいた時刻になると、携帯電話機７０から通報先に通報するＥメール送信や、状態通知ユニット４０の通話ボタン５９を押すことで行う所定の通報先への通話などの操作は、前記の状態通知ユニット４０の決定ボタン６２と方向キー６３の操作で出力される電気的な命令による携帯電話機７０の模擬的操作手順を状態通知ユニット４０のメモリ５４に記憶させることで実現し、実際のＥメール送信や通話の際には記憶した手順を再現した電気的な命令を状態通知ユニット４０から携帯電話機７０へ送ることで模擬的操作を行ない、送信や通話を行なう。将来携帯電話機７０を変更した場合でも操作手順を再度記憶させることで対応が可能になる。
【００５３】
状態通知ユニット４０と携帯電話機７０を接続用コネクタ６４と接続用ケーブル６５で接続した状態で、状態通知ユニット４０の決定ボタン６２と方向キー６３を操作すると、前記のように携帯電話機７０に対して模擬的な操作を行なうことができる。状態通知ユニット４０のメール送信操作記憶ＳＷ６６を押しながら、状態通知ユニット４０の決定ボタン６２と方向キー６３を操作して携帯電話機７０で携帯電話機７０に有するＥメール送信機能の呼び出し、送信先の決定までの操作を行なった後にメール送信操作記憶ＳＷ６６を離すと、その操作手順を状態通知ユニット４０のメモリ５４に記憶させることができる。
【００５４】
携帯電話機７０にカメラ付携帯電話機を使用している場合には、カメラ撮影／送信操作記憶ＳＷ６７を押しながら、状態通知ユニット４０の決定ボタン６２と方向キー６３を操作して携帯電話機７０でのカメラ撮影及び撮影した画像をＥメールに添付して送信先の決定までの操作を行なった後にカメラ撮影／送信操作記憶ＳＷ６７を離すと、その操作手順を状態通知ユニット４０のメモリ５４に記憶させることができる。
【００５５】
送信操作記憶ＳＷ６８を押しながら、状態通知ユニット４０の決定ボタン６２と方向キー６３を操作して携帯電話機７０でＥメール送信の実行の操作を行なった後に送信操作記憶ＳＷ６８を離すと、その操作手順を状態知ユニット４０のメモリ５４に記憶させることができる。
【００５６】
通話操作記憶ＳＷ６９を押しながら、状態通知ユニット４０の決定ボタン６２と方向キー６３を操作して携帯電話機７０でＥメール送信の実行の操作を行なった後に通話操作記憶ＳＷ６９を離すと、その操作手順を状態通知ユニット４０のメモリ５４に記憶させることができる。
【００５７】
状態通知ユニット４０は予め設定された状態通知時刻になると、前記のメール送信操作記憶ＳＷ６６を押しながら記憶させた操作手順を再現した電気的な命令を携帯電話機７０に対して送ることで模擬的操作にてＥメール送信までの状態にする。次に、状態通知ユニット４０が先回通知した以後に受信したパルス信号入力の種類と発生時刻をテキストデータとして編集し、Ｅメールの送信内容として携帯電話機７０に送信する。さらに続けて、送信操作記憶ＳＷ６８を押しながら記憶させた操作手順を再現した電気的な命令を携帯電話機７０に対して送ることで、携帯電話機７０を直接操作することなく模擬的操作にてＥメール送信の完了までを行なうことができる。
【００５８】
図８は、通報先の携帯電話機８０の画面８０ａに表示されたテキストデータの一例を示すものである。７月１日９時０３分の祖母の状態（件名）を送信している。本文は、６時５１分にベッドルーム、６時５１分にトイレット、６時５３分にトイレットから出る。６時５８分に人体感知ユニット（ｓｅｎｓｅｒ）が作動、７時３２分にリビングのドア、７時３２分にＴＶ、８時３１分にＴＶをそれぞれ操作したことが通報されている。
【００５９】
状態通知ユニット４０の通話ボタン５９を押すことによるハンズフリー通話や、セキュリティモードで侵入者があった場合の通話を行なう場合は、前記のＥメール送信と同様に、通話操作記憶ＳＷ６９を押しながら記憶させた操作手順を再現した電気的な命令を携帯電話機７０に対して自動的に送ることで模擬的操作にて通話の状態にし、マイク５７とスピーカー５８とを使ったハンズフリー電話とする。  
【００６０】
さらに、部屋の様子をカメラ付携帯電話機で撮影して、Ｅメールに添付する場合も、前記同様にカメラ撮影／送信操作記憶ＳＷ６７を押しながら記憶させた操作手順を再現した電気的な命令を携帯電話機７０に対して自動的に送ることで模擬的操作にてカメラ撮影および撮影した画像をＥメールに添付して送信先の決定までが行なわれ、続いて送信操作記憶ＳＷ６８を押しながら記憶させた手順を再現した電気的な命令を送ることで、Ｅメール送信が完了する。
【００６１】
このように、携帯電話機７０での一連の操作を状態通知ユニット４０から出力する電気的な命令で模擬的に行なうことができるので、将来携帯電話機を買い替えた場合でも、操作手順を再記憶させることで新しい携帯電話機に対応することが可能となる。
【００６２】
上記実施例では赤外線リモコン１からのリモートコントロール信号を赤外線受信ユニット１０で受信しているが、図示されてないエアコンとかオーディオなど、テレビジョン受信機以外の他の機器をリモート操作するための図示されてないリモコンからのリモートコントロール信号も、赤外線受信ユニット１０で受信するようにしても良いし、１個の赤外線リモコン１で、複数の機器、例えばテレビジョン受信機、エアコン及びオーディオ等をリモート操作するようにしてもよい。
【図面の簡単な説明】
【００６３】
【図１】本発明の実施例のブロック図。
【図２】本発明の実施例の状態通知ユニットの平面図。
【図３】本発明の実施例の状態通知ユニットの右側面図。
【図４】本発明の実施例の状態通知ユニットを図２の図示上方からみた図。
【図５】本発明の実施例における状態通知ユニットの正面略図（ａ）と、携帯電話機の一部を示す拡大正面図（ｂ）。
【図６】本発明の実施例における赤外線受信ユニットの外形図で、（ａ）は赤外線受信ユニットの背面図、（ｂ）は同平面図、（ｃ）は同正面図、（ｄ）は外付け赤外線受光部の平面図、（ｅ）は同正面図。
【図７】人体感知ユニットの外形図で、（ａ）は正面図、（ｂ）は上面図（平面図）、（ｃ）は背面図、（ｄ）は右側面図。
【図８】本発明における通報先の携帯電話機に通報された表示画面の拡大図。
【符号の説明】
【００６４】
１    赤外線リモコン（リモコン）
１０  赤外線受信ユニット（受信ユニット）
２０  人体感知ユニット
２１  光センサ
２２  人体感知部
２４  ライト部
４０  状態通知ユニット
４７、４８、４９  扉開閉スイッチ
５３  外出スイッチ
６２、７２  決定ボタン
６３、７３  方向キー
７０、８０  携帯電話機
２００  インターネット
Ｐ１、Ｐ２、Ｐ３、Ｐ４、Ｐ５  パルス信号
【図１】
2006178574.tif 000003
【図２】
2006178574.tif 000004
【図３】
2006178574.tif 000005
【図４】
2006178574.tif 000006
【図５】
2006178574.tif 000007
【図６】
2006178574.tif 000008
【図７】
2006178574.tif 000009
【図８】
2006178574.tif 000010